(57)【要約】【課題】取付けが容易となる電波収束・偏向体を提供する。【解決手段】誘電体基板３が電波収束機能を備えており、誘電体基板３の周縁部に取付部１を有し、取付部１の材質と誘電体基板３の材質とを同質とした。【選択図】図１
2004221976.tif 000002
【特許請求の範囲】
【請求項１】
誘電体基板が電波収束機能及び偏向機能のうちの少なくとも一方の機能を備えるようにしてなる電波収束・偏向体において、
該誘電体基板の周縁部又は周縁部近傍に取付部を少なくとも一つ有し、該取付部の材質と上記誘電体基板の材質とが同質であることを特徴とする電波収束・偏向体。
【発明の詳細な説明】
【０００１】
【発明の属する技術分野】
本発明は、通信用又は放送用に用いられるマイクロ波及びミリ波領域の電波収束・偏向体に関する。
【０００２】
【従来の技術】
今日、高速、大容量通信への要求から、マイクロ波やミリ波を用いて電波を送受信する高周波の通信が急速に拡がっている。このマイクロ波及びミリ波は、波長が数ｍｍ〜数十ｍｍであるため、電波を集束させるフレネルレンズ等を容易に作製することができ、誘電体基板を用いるフレネルレンズ等の電波収束・偏向体（以下、単に電波収束体という）が種々提案されている（例えば、特許文献１参照）。
【０００３】
従来の電波収束体は、誘電体基板の厚さ方向に段差等を設けた上記フレネルレンズが挙げられるが、このフレネルレンズは電波の位相差を補正する位相補償機能を有する。
【０００４】
上記従来のフレネルレンズ等の電波収束体は、優れた取付手段がない問題があった。また、電波収束機能が設けられている誘電体基板に枠を取付け、この枠に取付手段を設けると重量が重くなる問題があった。
【０００５】
【特許文献１】
特開平４−１３４９０９号公報（特許請求の範囲、第３図、第８図）
【０００６】
【発明が解決しようとする課題】
本発明は、優れた取付手段を有する前記電波収束体の表面形状を提供することを目的としている。
【０００７】
【課題を解決するための手段】
本発明は、前述の課題を解決すべくなされたものであり、誘電体基板が電波収束機能及び偏向機能のうちの少なくとも一方の機能を備えるようにしてなる電波収束・偏向体において、
該誘電体基板の周縁部又は周縁部近傍に取付部を少なくとも一つ有し、該取付部の材質と上記誘電体基板の材質とが同質であることを特徴とする電波収束・偏向体を提供する。
【０００８】
【発明の実施の形態】
以下、本発明を図面に従って詳細に説明する。図１は本発明の電波収束体の基本的構成を示す平面図である。以下の説明において、特記しない場合には、方向は図面上での方向をいうものとする。
【０００９】
図１に示す例では、略円形状である電波集束部を有する誘電体基板３から突出した部分を設けて取付部１としている。なお、電波集束部は略楕円形状等であってもよい。また、図１に示すとおり、誘電体基板３の両側には取付部１がそれぞれ設けられており、誘電体基板３は取付部１を２つ備えているが、これに限定されず、誘電体基板３は取付部１を１つ備えていてもよく、３つ以上備えていてもよい。
【００１０】
本発明では、取付部１の材質と誘電体基板３の材質とが同質とする。取付部１の材質の熱膨張と誘電体基板３の材質の熱膨張とが異なることによって、取付部１と誘電体基板３とが剥離して分離することを防止するためである。取付部１と誘電体基板３とは、一体成形されて作製されることが好ましい。生産性を向上させるためであり、かつ、取付部１と誘電体基板３とが剥離して分離することを防止するためである。
【００１１】
取付部１に治具を取付け、被取付部にこの治具を取付けることによって誘電体基板３を被取付部に取付ける。誘電体基板３の材質は、ガラス、アクリル又はＰＥＴ等の合成樹脂等が例示できる。
【００１２】
図２は本発明の電波収束体を窓ガラス板に取付けてなるアンテナ装置の基本的構成を示す側面図である。図２に示す例では、誘電体基板３に取付部１が２個設けられており、電波集束体２の上側に設けられている取付部１は、１次放射器支持治具２３に取付けられている１次放射器調整治具４ａに取付けられている。電波集束体２の下側に設けられている取付部１は、１次放射器支持治具２３に取付けられている１次放射器調整治具４ｂに取付けられる。図２に示す例では、電波集束体２の光軸２５は飛来する電波の方向と平行である。
【００１３】
１次放射器調整治具４ａ、ｂは、１次放射器支持治具２３に取付けられているので、電波収束体２は１次放射器調整治具４ａ、ｂを介して１次放射器支持治具２３に取付けられていることになる。
【００１４】
１次放射器支持治具２３は窓枠１６に固定されている配設体１５である窓ガラス板１４に取付けられている。送信部及び／又は受信部１２を備える１次放射器１７は、１次放射器支持治具２３に取付けられている。
【００１５】
ここで、配設体１５は飛来する電波の方向及び位置に対して、所定の角度及び位置を持って配された視覚的に透明性を有する物又は構造物であり、具体的には、建物又は自動車等の車両に取付けられたガラス板、プラスチックフィルム又はプラスチック板等である。配設体１５の形状及び用途は特に限定されるものではなく、例えば、１）ソーダライムガラス板又はフロストガラス板等からなる窓用ガラス板、２）自動車等の車両用窓ガラス板、３）ＰＥＴ等のプラスチックフィルム、４）アクリル樹脂等からなるプラスチック板、５）計器等のガラス板窓やプラスチック窓が例示できる。
【００１６】
電波集束体２は、マイクロ波やミリ波の電波１３を集束させ電波のエネルギー密度を高め、このエネルギー密度の高められた電波を送信部及び／又は受信部１２で受信する。送信する際には、アンテナ装置の送受の可逆性を利用して、送信部及び／又は受信部１２から送信された電波を電波集束体２を用いて偏向させて平面波とし、所定の方向に電波を発信する。
【００１７】
電波収束体２は、特に限定されるものではなく、公知のいかなる構造のものでもよい。一例として、平面回折リングによって電波を収束させる構成、特にフレネルゾーンプレートの構成が挙げられるが、本発明はこれらの構成に限定されるものではない。好ましくは平面状に構成される。しかし、必ずしも平面である必要はなく、例えば、フレネルレンズとして立体形状をもつものであってもよく、ガラス板等の透明体の厚み方向に階段状に電波の回折要素を形成して電波の位相差を補正する電波収束体、ダイポール等をゾーン毎に調整して配置する位相補正型構成の電波収束体であってもよい。誘電体基板３としてガラス板を用いた場合には、このガラス板の厚み方向に階段状に電波の回折要素を形成するには、このガラス板を複数回エッチングして形成してもよいし、砥石等を用いてこのガラス板を切削加工したものでもよい。
【００１８】
図３は本発明の電波収束体を窓ガラス板に取付けてなるアンテナ装置であって、図２とは別の実施例の基本的構成を示す側面図である。図３に示す例では、電波収束体２は支持治具２１によって、窓枠１６に固定されている配設体１５である窓ガラス板１４に取付けられており、回転治具２２を中心として電波収束体２を仰角方向に回転することができる。
【００１９】
電波集束体２は支持治具２１及び回転治具２２によって、窓枠１６に固定されている窓ガラス板１４に取付けられている。回転治具２２を中心として電波集束体２を仰角方向に回転させて、電波集束体２の主ビームの仰角方向の粗調整を行う。１次放射器１７は１次放射器支持治具２３によって電波集束体２に取付けられる。電波集束体２の左右にある取付部（不図示）には支持治具２１及び回転治具２２が取付けられる。
【００２０】
電波集束体２の上側に設けられている取付部１は、１次放射器支持治具２３に取付けられている１次放射器調整治具４ａに取付けられる。電波集束体２の下側に設けられている取付部１は、１次放射器支持治具２３に取付けられている１次放射器調整治具４ｂに取付けられる。
【００２１】
１次放射器支持治具２３に沿って１次放射器１７の位置を調整し、電波集束体２の光軸２５に対する１次放射器１７の相対角度を仰角方向に変化させる。さらに、１次放射器調整治具４によって電波集束体２の光軸２５に対する１次放射器１７の相対角度を方位角方向に変化させ、電波集束体２の主ビーム方向の微調整を行う。ここで、電波集束体２の主ビーム方向とは、１次放射器１７から電波を発射した場合に、電波集束体２を通過した後の電波のビームが最大である方向をいう。
【００２２】
【発明の効果】
本発明では、誘電体基板の周縁部又は周縁部近傍に取付部を少なくとも一つ有し、該取付部の材質と上記誘電体基板の材質とが同質としたため、取付けが容易となり、軽量化でき、かつ、電波収束又は偏向の性能の低下が少ない。
【図面の簡単な説明】
【図１】本発明の電波収束体の基本的構成を示す平面図。
【図２】本発明の電波収束体を窓ガラス板に取付けてなるアンテナ装置の基本的構成を示す側面図。
【図３】本発明の電波収束体を窓ガラス板に取付けてなるアンテナ装置であって、図２とは別の実施例の基本的構成を示す側面図。
【符号の説明】
１：取付部
２：電波収束体
３：誘電体基板
【図１】
2004221976.tif 000003
【図２】
2004221976.tif 000004
【図３】
2004221976.tif 000005